(57)【要約】【課題】浴室壁等の磁性体にどこでも取付けが可能であり、また簡単に片手で取外しができる磁力解除装置を付けた磁石式風呂蓋を提供する。【解決手段】風呂蓋に風呂蓋自体を保持できる強力な磁石と、この磁石の磁力を解除できる装置を設けることにより、磁石と磁性体が容易に着脱できる機構とすることで、非力な子供や老人でも簡単に着脱操作が可能であり、また磁石を取外した反動で、勢いあまって浴室内で転倒したりする危険も解消することができる。また、風呂蓋には片手で取り扱いができる取っ手を備えており、この取っ手に手を入れたままの状態で磁力解除ができる位置に磁力解除装置を設ければ、風呂蓋の取り外し操作は、片手で風呂蓋を持った状態で操作が可能であり、風呂蓋の着脱操作性が更に向上する。【選択図】　図６
2004113459.tif 000002
【特許請求の範囲】
【請求項１】
風呂蓋自体を磁性体に対し保持できる磁石を装着した磁石式風呂蓋であって、この磁石の磁力を解除できる装置を備えたことを特徴とした磁石式風呂蓋。
【請求項２】
前記磁石式風呂蓋は取っ手を備えており、この取っ手に手を入れた状態で磁力が解除可能であることを特徴とした請求項１記載の磁石式風呂蓋。
【請求項３】
風呂蓋の表面あるいは裏面の中で磁石面が突出していることを特徴とした請求項１記載の磁石式風呂蓋。
【請求項４】
前記下面と相対する各蓋の上面は磁性体で形成されていることを特徴とした請求項３記載の磁石式風呂蓋。
【請求項５】
前記磁石式風呂蓋は巻蓋であって、巻蓋の両端に取っ手と磁力解除装置を備え、両端部を重ねた場合でもそれぞれ独立して磁力解除ができることを特徴とした請求項１記載の磁石式風呂蓋。
【発明の詳細な説明】
【０００１】
【発明の属する技術分野】
本発明は巻蓋、割蓋等に磁石を装着した磁石式風呂蓋に関するものである。
【０００２】
【従来の技術】
風呂蓋に磁石を装着し、塩ヒ゛鋼板製の浴室壁等の磁性体に磁石の吸着力で取付けて風呂蓋を収納する技術がある。
【０００３】
【特許文献１】
特開２００１−８７１５３号公報（第３頁、第１図）
【０００４】
【発明が解決しようとする課題】
ところが、従来の磁石を装着した風呂蓋では、風呂蓋自体を保持できるような強力な磁石が装着されているが、この強力な磁力を解除できる装置が設けられていない為、浴室壁等の磁性体に取付けた後の取外しが非常に困難であり、非力な子供や老人では取外しができない、また大人でも引張って取外した後の反動で勢いあまって転倒してしまう危険がある、という問題が発生する。本発明はこれらの課題を解決するためになされたもので、本発明の目的は、浴室壁等の磁性体にどこでも取付けが可能であり、また簡単に片手で取外しができる磁力解除装置を付けた磁石式風呂蓋を提供することにある。
【０００５】
【課題を解決するための手段及び効果】
上記目的を達成するために請求項１は、風呂蓋に風呂蓋自体を保持できる強力な磁石と、この磁石の磁力を解除できる装置を設けることにより、磁石と磁性体が容易に着脱できる機構とすることである。したがって、非力な子供や老人でも簡単に着脱操作が可能であり、また磁石を取外した反動で、勢いあまって浴室内で転倒したりする危険も解消することができる。
【０００６】
請求項２は、風呂蓋には片手で取り扱いができる取っ手を備えており、この取っ手に手を入れたままの状態で磁力解除ができる位置に磁力解除装置を設けてあることである。このため風呂蓋の取り外し操作は、片手で風呂蓋を持った状態で操作が可能であり、風呂蓋の着脱操作性を向上させている。
【０００７】
請求項３は、風呂蓋の表面あるいは裏面の中で、磁石を装着した磁石面が蓋の縁よりも突出しており、風呂蓋の縁が邪魔になることなく、風呂蓋よりも大きな平面状の磁性体に取付けできることである。このため、風呂蓋よりも大きい浴室壁等の磁性体に対し、どこにでも取付けが可能であるため収納性を大きく向上させている。
【０００８】
請求項４は、請求項３で記載した蓋の断面形状の中で、磁石面と相対する蓋の上面は、磁性体を備えており、蓋を重ねて吸着できることである。このため２枚、３枚と構成された割蓋タイプの風呂蓋に対し、同一垂直線上に磁石面と磁性体が重なることにより、風呂蓋を重ねて吸着することが可能となる。これにより狭い浴室内でも場所を取らず、コンハ゜クトに風呂蓋を重ねて収納することが可能である。
【０００９】
請求項５は、巻蓋タイフ゜の風呂蓋の両端に取っ手と磁力解除装置が設けられており、この両端の取っ手を重ねた場合、上側の磁力解除装置と下側の磁力解除装置はそれぞれ独立して磁力の解除ができることである。下側取っ手の磁力解除装置横には磁性体が配されており、これと相対する上側取っ手の位置には磁石が配置されている。このため両方の取っ手を重ねると、下側の磁性体に上側の磁石が吸着し、巻蓋を二つに折り曲げた状態のまま保持することが可能であり、この磁力の解除は上側の磁力解除装置単独で行うことができる。
【００１０】
またこの状態のまま下側の磁石により浴室壁等の磁性体に吸着させることが可能であり、この磁力の解除は下側の磁力解除装置単独で行うことができる。このように両端に設けられた磁力解除装置は、それぞれ独立して磁力解除が可能であるため、両方の取っ手を重ねた状態を維持したまま片手で簡単に浴室壁から取り外すことが可能であり、また浴槽に蓋をする場合でも、二つに折り曲げた状態から片手で磁力を解除して浴槽に蓋をする操作が可能である。
【００１１】
【発明の実施の形態】
本発明を図１〜図１１に示す。
図１は、本発明の磁力解除装置を備えた割蓋１の第一実施例表面側斜視図である。割蓋１には取っ手２が付けられており、この取っ手２の手を入れる部分の横に磁力解除装置３が設けられている。取っ手２の上部には磁力解除ホ゛タン４が付いており、このホ゛タン４は取っ手２に手を入れた状態で親指を使って押せる位置に設けてあり、片手で磁力解除ができるよう工夫されている。
【００１２】
図２は、本発明の磁力解除装置を備えた割蓋１の第一実施例裏面側斜視図である。取っ手２部分の裏側には磁石６が付けられており、この磁石が塩ビ鋼板製浴室壁等の磁性体に吸着することで風呂蓋を収納することができる。
【００１３】
図３及び図４は、図１、図２に示した磁力解除装置を備えた取っ手部分の断面図である。図３は磁力解除を行う前、図４は磁力解除を行った状態である。取っ手２上部の磁力解除ホ゛タン４を押すと、部品Ａ７が跳ね上がり磁石を押し上げ、テコを利用した機構により小さな力でも簡単に磁力を解除することができる。磁力解除ホ゛タン４を押さない図３の状態では、磁石６上部のハ゛ネ８が常に磁石６を押し付けているため、磁石６はすぐに吸着できる状態を保つことができる。割蓋１断面形状の中で、磁石６が最も下面になっているため、割蓋１よりも大きな磁性体に吸着させる場合でも、割蓋周囲の縁５が邪魔になることなく磁性体に吸着が可能である。
【００１４】
磁石６は磁力を損なわない程度の薄いコ゛ムシート９で覆われており、磁石が磁性体に吸着する時の衝撃から磁石や磁性体が破損したり傷つかないよう工夫されている。この磁石６を覆っている薄いコ゛ムシート９は、可動する磁石６周囲の水密性も確保しており、お湯を溜めた浴槽の上に蓋として置かれた時に、湯気が磁力解除装置３内部に侵入することを防ぐ役割も果たしている。取っ手２の手を入れる部分と磁力解除装置３は、隔壁１０により遮断されており、取っ手２の手を入れる部分に水が入った場合でも、水は磁力解除装置３には侵入せず腐食しない構造になっている。
【００１５】
図５は、図３に示した磁力解除装置３を備えた割蓋１の取っ手２を重ねた状態の断面図である。取っ手２の下面の磁石６と相対する上面位置には磁性体１１が配置されており、また取っ手２の磁力解除ホ゛タン４と相対する下面位置には、重ねられた場合に磁力解除ホ゛タン４が当たらないようくぼみ１２が設けている。このため、図１に示した割蓋１は、２枚、３枚と重ねて浴室壁等の磁性体に吸着させることができる。取っ手２の上面に配置された磁性体１１は、磁石６と同様、磁力を損ねない薄いコ゛ムシート９で密封されており、水がかかりやすい浴室内でも腐食しないように工夫されている。
【００１６】
図６は、図１、図２に示した磁力解除装置３を備えた割蓋１を塩ビ鋼板製浴室壁等の磁性体に吸着させて収納した場合の実例である。図５に示したように割蓋１は重ねて一枚一枚吸着することができるため、場所を取らずにコンハ゜クトに収納することができる。また使用者の好みの場所や高さに吸着させることができるため、浴槽リム面１５に割蓋１を立て掛けて入浴感を損ねたり、浴室洗い場に立て掛けて置き、蓋に石鹸やシャンフ゜ーが付いて割蓋１が汚れることも防止できる。また浴室壁のどこにでも取付け可能であるため、大人から子供までそれぞれ使用者に応じた使いやすい場所や高さに収納することができる。
【００１７】
図７及び図８は、磁力解除装置３を備えた割蓋１の第二実施例断面図である。図７は磁力解除を行う前、図８は磁力解除を行った状態である。取っ手２内部には磁力解除レハ゛ー１６が設けられており、取っ手２に手を入れたままの状態で中の磁力解除レハ゛ー１６を掴むことで、図３、図４と同様の機構により磁力が簡単に解除できる機構となっている。
【００１８】
図９は本発明の巻き蓋１７実施例の表面側斜視図、図１０は裏面側斜視図である。巻き蓋１７の両端部には取っ手が設けられており、この取っ手の下にそれぞれ磁石６と磁力解除装置３を備えている。上側取っ手１９の磁石６と相対する位置の下側取っ手１８位置には、磁性体１１が付けられており、両端の取っ手を重ねて巻蓋１７を中央で２つに折り曲げた状態で磁力により保持できるようにしている。この両端の下側取っ手１８と上側取っ手１９を合わせ、中央部で２つに折り曲げた状態で持ち運びを行い、下側取っ手１８に付けられた磁石６により、塩ビ鋼板製浴室壁等の磁性体に吸着させて収納する。
【００１９】
図１１は図９、図１０に示した磁力解除装置３を備えた巻き蓋１を塩ビ鋼板製浴室壁等の磁性体に吸着させて収納した場合の実例である。割蓋の時と同様、浴室壁のどこにでも取付け可能であるため、大人から子供までそれぞれ使用者に応じた使いやすい場所や高さに収納することができる。
【００２０】
図１２は、図９、図１０に示した巻き蓋１７実施例の磁力解除装置断面図である。下側取っ手１８の下には磁力解除ホ゛タン４が付いており、図３、図４と同機構の磁力解除装置３が設けられている。上側取っ手１９にも同様の磁力解除装置が設けられており、両方の取っ手を重ねた状態では、上側の磁石６が下側の磁性体１１に吸着し、２つに折り曲げた状態を保持できる。浴室壁等の磁性体から取り外す場合は下側の磁力解除ホ゛タン２１を押し、浴槽に蓋をする場合には上側の磁力解除ホ゛タン２０を押して使用し、折り曲げ状態の保持と壁への吸着がそれぞれ独立して操作できる機構になっている。どちらの場合でも取っ手のすぐ下に磁力解除ホ゛タン４が配置されているため、上側取っ手１９と下側取っ手１８に手を入れたまま片手で磁力解除操作が行うことができる。
【図面の簡単な説明】
【図１】本発明の磁力解除装置を備えた割蓋の表面側斜視図である。
【図２】本発明の磁力解除装置を備えた割蓋の裏面側斜視図である。
【図３】本発明の磁力解除装置を備えた割蓋第一実施例の磁力解除前の断面図である。
【図４】本発明の磁力解除装置を備えた割蓋第一実施例の磁力解除後の断面図である。
【図５】図３に示した磁力解除装置を備えた割蓋第一実施例を重ねた状態の断面図である。
【図６】本発明の磁力解除装置を備えた割蓋第一実施例の収納方法を示す斜視図である。
【図７】本発明の磁力解除装置を備えた割蓋第二実施例の磁力解除前の断面図である。
【図８】本発明の磁力解除装置を備えた割蓋第一実施例の磁力解除後の断面図である。
【図９】本発明の磁力解除装置を備えた巻き蓋実施例の表面側斜視図である。
【図１０】本発明の磁力解除装置を備えた巻き蓋実施例の裏面側斜視図である。
【図１１】本発明の磁力解除装置を備えた巻き蓋実施例の収納方法を示す斜視図である。
【図１２】本発明の磁力解除装置を備えた巻き蓋の磁力解除装置実施例を示す断面図である。
【図１３】従来発明の磁石付巻き蓋を示す斜視図である。
【符号の説明】
１……割蓋
２……取っ手
３……磁力解除装置
４……磁力解除ホ゛タン
５……縁
６……磁石
７……部品Ａ
８……ハ゛ネ
９……薄いコ゛ムシート
１０……隔壁
１１……磁性体
１２……くぼみ
１３……塩ビ鋼板壁
１４……浴槽
１５……浴槽リム面
１６……磁力解除レハ゛ー
１７……巻き蓋
１８……下側取っ手
１９……上側取っ手
２０……下側の磁力解除ホ゛タン
２１……上側の磁力解除ホ゛タン
【図１】
2004113459.tif 000003
【図２】
2004113459.tif 000004
【図３】
2004113459.tif 000005
【図４】
2004113459.tif 000006
【図５】
2004113459.tif 000007
【図６】
2004113459.tif 000008
【図７】
2004113459.tif 000009
【図８】
2004113459.tif 000010
【図９】
2004113459.tif 000011
【図１０】
2004113459.tif 000012
【図１１】
2004113459.tif 000013
【図１２】
2004113459.tif 000014
【図１３】
2004113459.tif 000015